(57)【要約】【課題】ウエスト部のめくれを起こし難く、フィット性に優れた吸収性物品を提供すること。【解決手段】腹側部Ｂ及び／又は背側部Ａにおける吸収性物品１のウエスト部Ｄに、吸収性コア５が配されておらず且つコアラップシート６が配されているコアラップシート単独配置領域２０が存している。コアラップシート単独配置領域２０におけるコアラップシート６の幅方向両側縁部６０，６０が、該コアラップシート６の幅方向中央部６１に比して剛性が高くなっている。両側縁部６０，６０は好ましくは、コアラップシート６の延出部６５が吸収性コア５の幅方向内方に向けて折り返されて形成されており、且つその折り返し部６６と、該折り返し部６６と折り返し線Ｌを挟んで対向する折り返し対向部６７との間が、接着剤７０で接合されている。【選択図】図１
2010246586.tif 000002
【特許請求の範囲】
【請求項１】
肌当接面を形成する表面シート、非肌当接面を形成する裏面シート及び両シート間に介在された吸収体を備え、実質的に縦長で腹側部、股下部、背側部を長手方向に有し、該吸収体が、液保持性の吸収性コア及び該吸収性コアを包むコアラップシートを備えた吸収性物品であって、
前記腹側部及び／又は前記背側部における前記吸収性物品のウエスト部に、前記吸収性コアが配されておらず且つ前記コアラップシートが配されているコアラップシート単独配置領域が存しており、
前記コアラップシート単独配置領域における前記コアラップシートの幅方向両側縁部が、該コアラップシートの幅方向中央部に比して剛性が高い吸収性物品。
【請求項２】
前記コアラップシートは、その幅方向中央部に前記吸収性コアを重ねたときに該吸収性コアの幅方向両側縁部から幅方向外方に向けて延出する延出部を有しており、
前記ウエスト部の前記コアラップシート単独配置領域における前記コアラップシートの幅方向両側縁部は、前記延出部が幅方向内方に向けて折り返されて形成されている請求項１記載の吸収性物品。
【請求項３】
前記ウエスト部の前記コアラップシート単独配置領域における前記延出部の折り返し部と、該折り返し部と折り返し線を挟んで対向する折り返し対向部との間が、接合処理されて接合されている請求項２記載の吸収性物品。
【請求項４】
前記股下部における前記コアラップシートの前記延出部は、該延出部を他の部分と接合させる接合処理が施されていない請求項２又は３記載の吸収性物品。
【請求項５】
前記腹側部又は前記背側部に、前記吸収性物品の幅方向の全長に亘って前記吸収性コア及び前記コアラップシートが配されていない吸収体材料非配置領域が存しており、
前記吸収体材料非配置領域を挟んで前記吸収性物品の長手方向外方に、前記コアラップシート単独配置領域が存し、該吸収性物品の長手方向内方に前記吸収体が存しており、
前記吸収体材料非配置領域に、前記吸収体の肌当接面側を被覆しているシートと該吸収体の非肌当接面側を被覆しているシートとが延出しており、該吸収体材料非配置領域において両シート間が、接合処理されて接合されている請求項１〜４の何れかに記載の吸収性物品。
【請求項６】
前記ウエスト部に、前記吸収性物品の幅方向に伸縮可能な伸縮部材が配されていない請求項１〜５の何れかに記載の吸収性物品。
【発明の詳細な説明】
【技術分野】
【０００１】
本発明は、使い捨ておむつ等の吸収性物品に関する。
【背景技術】
【０００２】
使い捨ておむつ等の吸収性物品は、一般的に、肌当接面を形成する表面シート、非肌当接面を形成する裏面シート及び両シート間に介在された吸収体を備え、該吸収体が、液保持性の吸収性コア及び該吸収性コアを包むコアラップシートを備えている。斯かる構成の吸収性物品の改良技術に関し、例えば特許文献１及び２には、吸収本体の裏面側に配された台紙（コアラップシート）が、該吸収本体の左右両側縁から外方に向けて延出され、その延出部が内方に向けて折り返されて、該台紙の左右両側縁が吸収体の表面側の左右両側縁部上に位置するように配されており、該延出部における台紙の重ね合わせ部に、接着剤や液浸透抑制手段を設ける技術が記載されている。特許文献１及び２に記載の技術によれば、漏れ防止性に優れ且つ生産性の高い吸収性物品が得られるとされている。
【０００３】
また特許文献３には、液保持性の吸収体を具備する吸収性本体と、該吸収性本体の非肌当接面側に積層された外装体とを備え、該外装体の長手方向の一方の部位における両側縁部にウエストバンド部が連接され、該外装体の長手方向の他方の部位に該ウエストバンド部の止着部が設けられている使い捨ておむつが記載されている。特許文献３に記載のおむつにおいては、吸収体がおむつの長手方向の略全長に亘って配されており、吸収体の長手方向端部が、おむつのウエスト端部に略達している。
【先行技術文献】
【特許文献】
【０００４】
【特許文献１】特開２０００−３４２６２２号公報
【特許文献２】特開２０００−３４２６２７号公報
【特許文献３】特開２００４−３０５６０１号公報
【発明の開示】
【発明が解決しようとする課題】
【０００５】
従来の使い捨ておむつは、着用者の腰回りを包囲するウエスト部が、着用者の動きによって身体と反対側にめくれる（折れ曲がる）ことがあり、そのため漏れを誘発するおそれがあった。このようなウエスト部のめくれを防止する技術として、おむつの腹側部や背側部におむつの幅方向に伸縮可能な伸縮部材を配設してウエスト回りを締め付けるようにする技術が知られているが、斯かる技術をおむつに採用しても、おむつ着用中に着用者の腹部が膨れると、そのウエスト部が身体と反対側に折れ曲がって伸縮部材の伸縮機能の発現が阻害されてしまい、結局ウエスト部のめくれを十分に防止できないのが現状である。
【０００６】
従って本発明の課題は、ウエスト部のめくれを起こし難く、フィット性に優れた吸収性物品を提供することにある。
【課題を解決するための手段】
【０００７】
本発明は、肌当接面を形成する表面シート、非肌当接面を形成する裏面シート及び両シート間に介在された吸収体を備え、実質的に縦長で腹側部、股下部、背側部を長手方向に有し、該吸収体が、液保持性の吸収性コア及び該吸収性コアを包むコアラップシートを備えた吸収性物品であって、前記腹側部及び／又は前記背側部における前記吸収性物品のウエスト部に、前記吸収性コアが配されておらず且つ前記コアラップシートが配されているコアラップシート単独配置領域が存しており、前記コアラップシート単独配置領域における前記コアラップシートの幅方向両側縁部が、該コアラップシートの幅方向中央部に比して剛性が高い吸収性物品を提供することにより、前記課題を解決したものである。
【発明の効果】
【０００８】
本発明によれば、ウエスト部のめくれを起こし難く、フィット性に優れた吸収性物品を提供することができる。
【図面の簡単な説明】
【０００９】
【図１】図１は、本発明の第１実施形態である展開型の使い捨ておむつを各部の弾性部材を伸張させて平面状に拡げた状態を模式的に示す肌当接面側（表面シート側）の平面図である。
【図２】図２は、図１のＩ−Ｉ線断面を模式的に示す断面図である。
【図３】図３は、図１のＩＩ−ＩＩ線断面を模式的に示す縦断面図である。
【図４】図４（ａ）、図４（ｂ）及び図４（ｃ）は、それぞれ、コアラップシートの剛性の測定方法の説明図である。
【図５】図５は、本発明の第２実施形態の図１相当図（肌当接面側の平面図）である。
【図６】図６は、本発明の第３実施形態の図１相当図（肌当接面側の平面図）である。
【図７】図７は、本発明の第４実施形態の図１相当図（肌当接面側の平面図）である。
【発明を実施するための形態】
【００１０】
以下、本発明を、その好ましい実施形態に基づき図面を参照して説明する。図１は、本発明の第１実施形態の使い捨ておむつを各部の弾性部材を伸張させて平面状に拡げた状態を模式的に示す肌当接面側の平面図、図２は、図１のＩ−Ｉ線断面を模式的に示す断面図、図３は、図１のＩＩ−ＩＩ線断面を模式的に示す断面図である。本実施形態の使い捨ておむつ１は、図１〜図３に示すように、肌当接面を形成する液透過性の表面シート２、非肌当接面を形成する液不透過性の裏面シート３、及びこれら両シート２，３間に配置された液保持性の吸収体４を具備し、実質的に縦長に形成されている。おむつ１は、背側部Ａ、腹側部Ｂ及びこれらの間に位置する股下部Ｃを長手方向に有している。背側部Ａは着用者の背側に位置する部位、腹側部Ｂは着用者の腹側に位置する部位、股下部Ｃは着用者の股下に位置する部位である。股下部Ｃは、おむつ１の長手方向中央部に位置している。
【００１１】
尚、本明細書において、肌当接面は、吸収性物品及びその構成部材における着用時に着用者の肌側に向けられる面であり、非肌当接面は、吸収性物品及びその構成部材における着用時に着用者の肌側とは反対側に向けられる面である。また、長手方向は、吸収性物品又はその構成部材の長辺に沿う方向であり、幅方向は、該長手方向と直交する方向である。
【００１２】
おむつ１は、股下部Ｃの両側縁が内向きの円弧状に湾曲しており、全体として長手方向中央部が内方に括れた砂時計状の形状となっている。表面シート２は、吸収体４（コアラップシート６で包まれた吸収性コア５）よりも外形寸法の大きい略矩形状の平面視形状を有しており、裏面シート３の幅方向中央部に配されている。裏面シート３は、おむつの外形形状に一致する砂時計状の外形を有している。表面シート２及び裏面シート３は、それぞれ吸収性コア５の長手方向両端部５ａ，５ｂ及び幅方向両側縁部５ｃ，５ｃから外方に延出しており、それらの延出部において直接的に又は他の部材を介在させて互いに接合されている。吸収体４は、平面視して矩形形状をしており、その長手方向をおむつ１の長手方向に一致させて該おむつ１の幅方向中央部に配されている。吸収体４（コアラップシート６）と表面シート２及び裏面シート３との間は、それぞれ、所定部位においてホットメルト接着剤等の接着剤によって接合されている。
【００１３】
背側部Ａの左右両側縁部には一対のファスニングテープ１０，１０が設けられている。より具体的には、背側部Ａの両側部それぞれには、吸収体４の幅方向両側縁部から幅方向外方に延出するサイドフラップが形成されており、各サイドフラップに、ファスニングテープ１０が幅方向外方に延出して取り付けられている。ファスニングテープ１０には、メカニカルファスナーのフック部材が取り付けられている。また、腹側部Ｂの外表面（非肌当接面）上には、ファスニングテープ１０止着用のランディングテープ（図示せず）が取り付けられている。該ランディングテープは、基材シート及び該基材シートに貼り合わされたループ材料から構成されている。尚、腹側部Ｂの両側部にも、それぞれ幅方向外方に延出するサイドフラップが形成されている。
【００１４】
吸収体４は、液保持性の吸収性コア５及び該吸収性コア５を包む液透過性の２枚のコアラップシート６を備えている。吸収性コア５は、平面視して矩形形状をしており、該吸収性コア５と同形状（矩形形状）を有し且つ該吸収性コア５よりも寸法の大きい２枚のコアラップシート６の間に挟持されている。これによって、吸収性コア５の肌当接面側及び非肌当接面側の全域がコアラップシート６によって被覆されている。吸収性コア５とコアラップシート６との間は、所定の部位においてホットメルト接着剤等の接着剤により接合されていても良い。その場合、接着剤の塗布パターンは、コアラップシートから吸収性コアへ効率よく液を浸透させる観点から、接着剤を被塗布面に均一に塗布するいわゆるベタ塗りではなく、例えばスパイラルパターンのような、接着剤の塗布部と非塗布部とが被塗布面に分散配置されるような塗布パターンが好ましい。
【００１５】
第１実施形態においては、背側部Ａ及び腹側部Ｂにおけるウエスト部Ｄに、吸収性コア５が配されておらず且つコアラップシート６が配されているコアラップシート単独配置領域２０が存している。コアラップシート単独配置領域２０は、背側部Ａ及び腹側部Ｂそれぞれのウエスト部Ｄの幅方向中央部に存している。より具体的には、吸収性コア５は、股下部Ｃの幅方向中央部をおむつ１の長手方向に縦断し且つ背側部Ａ及び腹側部Ｂそれぞれに向けて延出するように配されており、その長手方向両端部５ａ，５ｂは、おむつ１のウエスト両端部１ａ，１ｂに達しておらず、該ウエスト両端部１ａ，１ｂよりもおむつ１の長手方向内方に位置している。また、吸収性コア５を包んでいる２枚のコアラップシート６は、吸収性コア５の長手方向両端部５ａ，５ｂから長手方向外方に向けて延出し、おむつ１のウエスト両端部１ａ，１ｂに達している。こうして、背側部Ａ及び腹側部Ｂにおけるウエスト部Ｄの幅方向中央部に、吸収体４と略同幅のコアラップシート単独配置領域２０が形成されている。尚、ウエスト部Ｄは、背側部Ａ及び腹側部Ｂそれぞれにおけるおむつ１のウエスト端部（長手方向端部）１ａ，１ｂから該おむつ１の長手方向内方に該おむつ１の長手方向の全長のおよそ５％の長さの領域である。
【００１６】
そして、第１実施形態においては、ウエスト部Ｄのコアラップシート単独配置領域２０におけるコアラップシート６の幅方向両側縁部６０，６０が、該コアラップシート６の幅方向中央部６１に比して剛性が高くなっている。より具体的には、コアラップシート６は、その幅方向中央部に吸収性コア５を重ねたときに、該吸収性コア５の幅方向両側縁部５ｃ，５ｃから幅方向外方に向けて延出する延出部６５を、該コアラップシート６のおむつ長手方向の全長に亘って有しており、ウエスト部Ｄにおけるコアラップシート６の幅方向両側縁部６０，６０（即ちウエスト部Ｄに配されているコアラップシート６において相対的に剛性が高くなっている部位）は、図３に示すように延出部６５が幅方向内方に向けて折り返されて形成されている。即ち、ウエスト部Ｄにおけるコアラップシート６の側縁部６０は、該コアラップシート６を折り重ねて形成されているため、折り重ねられていない該コアラップシート６の中央部６１に比して、剛性が高くなっている。延出部６５は、おむつ長手方向に沿って延びる折り返し線Ｌにおいて、肌当接面側に折り返されており、吸収性コア５の存在域（股下部Ｃ）においては、図２に示すように、折り返された延出部６５のおむつ長手方向に沿った側縁部が、吸収性コア５の側縁部５ｃ上に位置している。
【００１７】
このように、ウエスト部Ｄに配されているコアラップシート６の幅方向両側縁部６０，６０が、該コアラップシート６の幅方向中央部６１に比して剛性が高くなっていることにより、おむつ１を着用したときに、該両側縁部６０，６０が、ウエスト部Ｄにおいて着用者の腰回りと直交する方向に伸びる高剛性の支柱として機能するため、該ウエスト部Ｄが身体と反対側にめくれる不都合が効果的に防止され、延いては漏れが防止される。また、両側縁部６０，６０間に挟まれているコアラップシート６の幅方向中央部６１は、該両側縁部６０，６０のように剛性が高められていないため、該中央部６１が配されている、ウエスト部Ｄの幅方向中央部は、斯かる部位が本来有している柔軟性が実質的に損なわれておらず、そのためウエスト部Ｄを肌に当ててもごわごわ感が少なく、良好なフィット性を得ることができる。
【００１８】
ウエスト部Ｄのコアラップシート単独配置領域２０におけるコアラップシート６の幅方向両側縁部６０，６０の剛性は、それぞれ、好ましくは１０〜１００ｃＮ、更に好ましくは２０〜８０ｃＮである。また、両側縁部６０，６０間に挟まれているコアラップシート６の幅方向中央部６１の剛性は、好ましくは５〜８０ｃＮ、更に好ましくは１０〜５０ｃＮである。また、両者の剛性の比（側縁部６０／中央部６１）は、好ましくは１．２５〜２．０、更に好ましくは１．６〜２．０である。コアラップシートの剛性は次のようにして測定される。図４は、コアラップシートの剛性の測定方法の説明図であり、図４（ａ）は、測定に使用するテンシロン圧縮試験機に測定サンプルをセットした状態の正面図、図４（ｂ）は、同状態の側面図、図４（ｃ）は、測定サンプルを圧縮している状態の図４（ｂ）相当図である。
【００１９】
＜コアラップシートの剛性の測定方法＞
吸収性物品の所定部位に配置されているコアラップシートから、該吸収性物品（吸収体）の長手方向に５０ｍｍ、該長手方向と直交する幅方向に１５ｍｍの矩形形状を切り出し、この切り出し片を測定サンプルとする。尚、測定サンプルの吸収性物品長手方向の長さは最低１５ｍｍあれば良く、また、測定サンプルの吸収性物品幅方向の長さが１５ｍｍに満たない場合は、該測定サンプルの剛性の測定値を１５ｍｍ幅に換算する。例えば、ウエスト部Ｄのコアラップシート単独配置領域２０におけるコアラップシート６の幅方向側縁部６０の剛性を測定する場合において、その幅方向の長さＷ２（図１参照）が１５ｍｍより小さい場合は、該長さＷ２が極力大きくなるように測定サンプルを採取し、その剛性の測定値を１５ｍｍ換算する。即ち、例えば、採取した測定サンプルの吸収性物品幅方向の長さＷ２が１０ｍｍであった場合、該測定サンプルの剛性を下記手順で測定し、その測定値を１５／１０倍した値を、該測定サンプルの剛性とする。こうして用意した測定サンプル（図４中符号Ｓで示す）を、図４（ａ）及び（ｂ）に示すように、テンシロン圧縮試験機（株式会社テイ・エス・エンジニアリング製、ＯＬＩＥＮＴＥＣ  ＴＥＮＳＩＬＯＮ「ＲＴＣ−１１５０Ａ」）のチャック９０，９１間にセットする。チャック９０，９１それぞれは、図４（ｂ）に示すように、２枚の相対向する板状具を含んで構成されている。上方に位置するチャック９０を構成する２枚の板状具間には、幅方向の長さＴ１が３０ｍｍ、厚みが２ｍｍのステンレス製の押し板９２が挟持固定されている。一方、下方に位置するチャック９１を構成する２枚の板状具は、所定距離Ｔ２を置いて対向配置されている。距離Ｔ２は１０ｍｍとする。チャック９１を構成する両板状具の上端に、測定サンプルＳを、該測定サンプルＳの吸収性物品幅方向（長さＷ２の方向）を押し板９２の幅方向（長さＴ１の方向）に一致させて載置する。このとき、押し板９２の下端から測定サンプルＳに向けて鉛直方向と平行な仮想直線を引いたときに、該仮想直線がチャック９１上の測定サンプルＳの吸収性物品長手方向の略中央部を通過するように、測定サンプルＳを載置する。そして、図４（ｃ）に示すように、チャック９０を測定サンプルＳに向けて速度１００ｍｍ／分で下降させることにより押し板９２で測定サンプルＳを圧縮し、その圧縮過程における最大点荷重を、測定サンプルＳの剛性とする。斯かる測定を５回行い（ｎ＝５）、それらの平均値をコアラップシートの当該部位の剛性とする。
【００２０】
第１実施形態においては、図３に示すように、ウエスト部Ｄのコアラップシート単独配置領域２０における延出部６５の折り返し部６６と、該折り返し部６６と折り返し線Ｌを挟んで対向する折り返し対向部６７との間が、接合処理されて接合されている。ここで、接合処理としては、例えば、接着剤の塗布；ヒートシール、超音波シール等のシール処理等が挙げられる。第１実施形態では、前記接合処理として、接着剤の塗布が採用されており、折り返し部６６と折り返し対向部６７との間は接着剤７０で接合されている。このように、ウエスト部Ｄに配されているコアラップシート６の幅方向両側縁部６０，６０が接合処理されて（接着剤７０を含んで）構成されていることにより、両側縁部６０，６０の剛性が更に高まり、これにより上述したウエスト部Ｄのめくれ防止効果が更に高まる。
【００２１】
このような、接合処理による剛性の向上効果を確実に奏させるようにする観点から、接合処理は、ウエスト部Ｄのコアラップシート単独配置領域２０における折り返し部６６の全域に亘って施されることが好ましい。例えば接合処理として第１実施形態のように接着剤７０を用いる場合、接着剤７０は、ウエスト部Ｄのコアラップシート単独配置領域２０における折り返し部６６の全域に均一に塗布（いわゆるベタ塗り）されることが好ましい。接着剤７０の塗布量は、好ましくは５〜３０ｇ／ｍ2、更に好ましくは１０〜２０ｇ／ｍ2である。
【００２２】
一方、図２に示すように、股下部Ｃにおけるコアラップシート６の延出部６５は、該延出部６５を他の部分と接合させる前記接合処理が施されていない。即ち、股下部Ｃにおける延出部６５の折り返し部６６と、該折り返し部６６と折り返し線Ｌを挟んで対向する折り返し対向部６７との間は、接合されていない。このように、股下部Ｃに配されているコアラップシート６の幅方向両側縁部６０，６０が接合処理されていない（接着剤を含んでいない）ことにより、斯かる部位が本来有している柔軟性が損なわれず、股下部において良好なフィット性、着用感が得られる。第１実施形態においては、股下部Ｃのみならず、背側部Ａ及び腹側部Ｂにおけるウエスト部Ｄ以外の領域においても、コアラップシート６の延出部６５には接着剤が塗布されていない。
【００２３】
ウエスト部Ｄにおけるコアラップシート単独配置領域２０の幅方向の長さＷ１（図１参照）と、おむつ１のウエスト端部１ａ（１ｂ）の幅方向の全長Ｗとの比（Ｗ１／Ｗ）は、好ましくは０．２〜０．８、更に好ましくは０．２５〜０．５である。また、コアラップシート単独配置領域２０におけるコアラップシート６の幅方向両側縁部６０〔折り返し部６６と折り返し対向部６７とが重ね合わされている部分（接着剤７０が塗布されている部分）〕の幅方向の長さＷ２（図１参照）と、ウエスト端部１ａ（１ｂ）の幅方向の全長Ｗとの比（Ｗ２／Ｗ）は、好ましくは０．０１〜０．０５、更に好ましくは０．０１５〜０．０３５である。また、側縁部６０の幅方向の長さＷ２は、好ましくは３〜１５ｍｍ、更に好ましくは５〜１０ｍｍである。また、側縁部６０の長手方向の長さＷ３は、好ましくは１５〜１００ｍｍ、更に好ましくは１５〜５０ｍｍである。
【００２４】
おむつ１における各部の形成材料について説明すると、表面シート２及び裏面シート３としては、当該技術分野において従来用いられている各種のものを用いることができる。表面シート２としては、不織布や開孔フィルム等の各種液透過性のシート材を用いることができる。裏面シート３としては、透湿性を有しない樹脂フィルムや、微細孔を有し、透湿性を有する樹脂フィルム、撥水不織布等の不織布、これらと他のシートとのラミネート体等を用いることができる。また、吸収体４を構成する吸収性コア５としては、当該技術分野において吸収体として用いられるものを特に制限無く用いることができ、例えば、木材パルプ等の親水性繊維からなる繊維集合体、該繊維集合体に粒子状の吸水性樹脂を保持させたもの等を用いることができる。
【００２５】
また、コアラップシート６としては、例えば、紙、不織布、開孔フィルム等の液透過性のシートを用いることができる。これらの中でも特に紙は、剛性が比較的高いため、上述した本発明に係るウエスト部のめくれ防止技術と組み合わせることで、ウエスト部のめくれをより効果的に防止できる。また、コアラップシート６の坪量は、剛性を維持しながら尿等の液透過性を阻害しないようにする観点から、好ましくは５〜３０ｇ／ｍ2、更に好ましくは１０〜２０ｇ／ｍ2である。
【００２６】
また、ウエスト部Ｄにおいてコアラップシート６の延出部６５の折り返し部６６と折り返し対向部６７との間を接合する接着剤７０としては、例えばゴム系やオレフィン系等のホットメルト接着剤等を用いることができる。
【００２７】
第１実施形態のおむつ１は、この種の展開型の使い捨ておむつと同様に使用することができる。第１実施形態の使い捨ておむつ１によれば、ウエスト部Ｄのコアラップシート単独配置領域２０におけるコアラップシート６の幅方向両側縁部６０，６０が、該コアラップシート６における吸収性コア５の幅方向両側縁部５ｃ，５ｃからの延出部６５を、該吸収性コア５の幅方向内方に向けて折り返して形成し且つその折り返し部６６と折り返し対向部６７との間を接着剤７０で接合することにより形成されており、該コアラップシート６の幅方向中央部６１に比して剛性が高くなっているため、着用時にウエスト部Ｄが身体と反対側にめくれることを効果的に防止することができる。また、ウエスト部Ｄの幅方向中央部に位置しているコアラップシート６の幅方向中央部６１は、側縁部６０のように剛性が意図的に高められておらず、柔軟性が損なわれていないため、ウエスト部Ｄ全体としては、ごわごわ感が少なく、身体に対するフィット性に優れている。
【００２８】
特に、第１実施形態のおむつ１は、背側部Ａ及び腹側部Ｂのウエスト部Ｄに、おむつ１の幅方向に伸縮可能な伸縮部材（いわゆるウエスト弾性部材）が配されていないため、このようなウエスト弾性部材が配されているおむつに比して、本質的にウエスト部Ｄのめくれが発生し易いものであるところ、上述した剛性の不均一構造を有するコアラップシート単独配置領域２０の採用により、このようなウエスト部のめくれに関する不利な点を充分にカバーすることができる。即ち、「ウエスト部のコアラップシート単独配置領域におけるコアラップシートの幅方向両側縁部が、該コアラップシートの幅方向中央部に比して剛性が高い」という構成は、特に、ウエスト部に弾性部材が配されていない吸収性物品に有効であると言える。
【００２９】
また、第１実施形態のおむつ１は、股下部Ｃにおけるコアラップシート６の延出部６５に、接着剤の塗布等の接合処理が施されておらず、股下部Ｃにおける吸収体４の幅方向両側縁部４ｃ，４ｃが硬すぎずにある程度の柔軟性を有しているため、股下部Ｃが着用者の身体に追従し、これにより股下部において良好なフィット性が得られる。
【００３０】
次に、本発明の吸収性物品の他の実施形態について図面を参照して説明する。後述する吸収性物品の他の実施形態については、上述した第１実施形態のおむつ１と異なる構成部分を主として説明し、同様の構成部分は同一の符号を付して説明を省略する。特に説明しない構成部分は、第１実施形態のおむつ１についての説明が適宜適用される。
【００３１】
図５は、本発明の第２実施形態である使い捨ておむつの図１相当図（肌当接面側の平面図）である。第２実施形態のおむつ１においては、背側部Ａに、おむつ１の幅方向の全長に亘って吸収性コア５及びコアラップシート６が配されていない吸収体材料非配置領域３０が存しており、該吸収体材料非配置領域３０を挟んでおむつ１の長手方向外方にコアラップシート単独配置領域２０が存し、おむつ１の長手方向内方に吸収体４（コアラップシート６で包まれた吸収性コア５）が存している。
【００３２】
そして、吸収体材料非配置領域３０には、吸収体４の肌当接面側を被覆しているシート（第２実施形態では表面シート２）と該吸収体４の非肌当接面側を被覆しているシート（第２実施形態では裏面シート３）とが延出しており、該領域３０において両シート間が、接合処理されて接合されている。即ち、表面シート２及び裏面シート３は、領域３０において接着剤（図示せず）によって接合され一体化されている。斯かる構成の吸収体材料非配置領域３０が背側部Ａに存していることにより、背側部Ａにおける尿漏れ、あるいは吸収性コア５に含有されている吸水性樹脂等が該コア５における背側部Ａ側の長手方向端部５ａから脱落することが効果的に防止される。ここでいう尿漏れは、吸収体（吸収性コア）に一旦吸収された尿等の体液が、おむつ着用時の体圧等により、該吸収体の端部から滲み出すことをいう。
【００３３】
吸収体材料非配置領域３０におけるシート間の接合処理（接着剤の塗布等）は、上述した効果を確実に奏させるようにする観点から、少なくとも、吸収性コア５を包んでいるコアラップシート６の全幅に亘って施されることが好ましい。
【００３４】
また同様の観点から、前記接合処理は、被処理部の全域に亘って施されることが好ましい。即ち、例えば接合処理として第２実施形態のように接着剤を用いる場合、該接着剤の塗布パターンは、例えばスパイラルパターンのような、接着剤の塗布部と非塗布部とが被処理部に分散配置されるような塗布パターンではなく、接着剤を被処理部に均一に塗布するいわゆるベタ塗りが好ましい。前記接着剤の塗布量は、好ましくは１〜２０ｇ／ｍ2、更に好ましくは３〜１０ｇ／ｍ2である。前記接着剤としては、上述した接着剤７０と同様のものを用いることができる。
【００３５】
吸収体材料非配置領域３０のおむつ長手方向の長さＷ４は、好ましくは５〜５０ｍｍ、更に好ましくは１０〜３０ｍｍである。第２実施形態によっても第１実施形態と同様の効果が奏され、更に、上述した背側部Ａにおける尿漏れ防止効果及び吸水性樹脂の脱落効果が奏される。
【００３６】
図６は、本発明の第３実施形態である使い捨ておむつの図１相当図（肌当接面側の平面図）である。第３実施形態のおむつ１は、吸収体材料非配置領域３０が背側部Ａではなく腹側部Ｂに存している点で、第２実施形態と異なる。腹側部Ｂあるいはその近傍には通常、排泄された尿を直接受ける排尿ポイントが存しているため、腹側部Ｂに、尿漏れ防止効果に優れる吸収体材料非配置領域３０が存していることは、尿漏れ防止に非常に有効である。
【００３７】
図７は、本発明の第４実施形態である使い捨ておむつの図１相当図（肌当接面側の平面図）である。第４実施形態のおむつ１は、背側部Ａに、上述した剛性の不均一構造を有するコアラップシート単独配置領域２０が存していない点で、第１実施形態と異なる。背側部Ａにおけるウエスト部Ｄは、吸収体材料非配置領域３０となっている。本発明の主たる技術課題であるウエスト部のめくれは、特に、おむつ着用者が上体を前に倒したときなどに起こり易く、腹側部Ｂにおいて顕著であるため、第４実施形態のおむつ１によれば、腹側部Ｂにおけるウエスト部のめくれを効果的に防止できる。
【００３８】
以上、本発明をその好ましい実施形態に基づき説明したが、本発明は前記実施形態に制限されない。例えば、前記実施形態においては、コアラップシート６の延出部６５は、肌当接面側に折り返されていたが、非肌当接面側に折り返されていても良い。また、前記実施形態においては、背側部Ａ及び腹側部Ｂの両方又は腹側部Ｂのみに、上述した剛性の不均一構造を有するコアラップシート単独配置領域２０が存していたが、背側部Ａのみに前記コアラップシート単独配置領域２０が存していても良い。但し、本発明の主たる技術課題であるウエスト部のめくれは、特に、おむつ着用者が上体を前に倒したときなどに起こり易く、腹側部Ｂにおいて顕著であるため、前記コアラップシート単独配置領域２０は、第４実施形態のように、少なくとも腹側部Ｂのウエスト部Ｄに存していることが好ましい。
【００３９】
また、前記実施形態においては、２枚のコアラップシートによって吸収性コアを包んでいたが、１枚のコアラップシートによって吸収性コアを包んでも良い。例えば、コアラップシートとして、吸収性コアの幅の２倍以上３倍以下の幅を有する液透過性の１枚のシートを用い、該シートの幅方向中央部に該吸収性コアを載置し、該シートの幅方向両側部を該吸収性コアの上面側に折り返し、該シートの幅方向両側縁部同士を接合して筒状に形成して、該吸収性コアを包んでも良い。
【００４０】
また、前記実施形態のおむつ１は、長手方向の左右両側に、肌当接面（表面シート２）の上方に起立可能な立体ギャザーを備えていても良く、また、股下部Ｃの両側縁部に沿って弾性部材が伸長状態で配されてレッグギャザーが形成されていても良い。また、前記実施形態では、背側部Ａ及び腹側部Ｂのウエスト部Ｄに、おむつ１の幅方向に伸縮可能な伸縮部材（いわゆるウエスト弾性部材）が配されていなかったが、背側部Ａ及び／又は腹側部Ｂのウエスト部Ｄに該ウエスト弾性部材が配されていても良い。
【００４１】
例えば、前記実施形態では、本発明の吸収性物品の適用例の一つとしていわゆる展開型の使い捨ておむつを挙げたが、予めパンツ型に成形されたパンツ型の使い捨ておむつの他、失禁パッド、生理用ナプキン、パンティライナー（おりものシート）にも適用することができる。
【符号の説明】
【００４２】
１  使い捨ておむつ（吸収性物品）
２  表面シート
３  裏面シート
４  吸収体
５  吸収性コア
６  コアラップシート
１０  立体ギャザー
２０  コアラップシート単独配置領域
３０  吸収体材料非配置領域
６０  コアラップシートの幅方向側縁部
６１  コアラップシートの幅方向中央部
６５  コアラップシートの延出部
６６  延出部の折り返し部
６７  折り返し対向部
７０  接着剤
Ａ  背側部
Ｂ  腹側部
Ｃ  股下部
Ｄ  ウエスト部
Ｌ  延出部（コアラップシート）の折り返し線
【図１】
2010246586.tif 000003
【図２】
2010246586.tif 000004
【図３】
2010246586.tif 000005
【図４】
2010246586.tif 000006
【図５】
2010246586.tif 000007
【図６】
2010246586.tif 000008
【図７】
2010246586.tif 000009